(57)【特許請求の範囲】
【請求項１】
地山斜面の崩落防止を図る補強工法であって、地山斜面ののり肩もしくは中腹から略鉛直下方の地山内に向けて杭を打設する地山補強杭工と、棒状の補強材を地山内に向け地山斜面から略鉛直に打設し、さらに地山と補強材とを定着させる地山補強土工と、補強対象となる地山斜面表面の一部もしくは全部を覆って地山斜面表面からの崩落防止を図るとともに、前記地山補強杭工において打設される杭と前記地山補強土工において打設される補強材とを地山斜面の表面上で連結する地山補強のり面工とからなることを特徴とする地山補強工法。
【請求項２】
前記地山補強杭工が、前記地山補強土工に先行して行われることを特徴とする請求項１に記載の地山補強工法。
【発明の詳細な説明】
【０００１】
【発明の属する技術分野】
本発明は、地山斜面の崩落防止工法に関する。
【０００２】
【従来の技術】
地滑り地山や、各種構造物の構築に伴う地下開削壁面等の斜面が、例えば急勾配で斜面各自特有の安定勾配以上の勾配を有する斜面である場合、そのままなんら補強措置を施さなければ、その急勾配斜面より地山の崩落が生じるおそれがあり、係る崩落の防止を図るため、従来、各種の補強工法が行われてきた。
【０００３】
従来の地山補強工法としては、地山斜面から鉄筋等を地山内に向け適宜間隔をおいて複数打設した後、打設孔にモルタルなどを流入させて地山に鉄筋を定着させ、係る鉄筋の引張り抵抗をもって斜面を一体に縫地するといった地山補強土工法があった。
【０００４】
また、グラウンドアンカー工法と呼ばれ、対象地山に掘削孔を形成し係る孔内にワイヤー等のアンカー材を挿入した後、孔内奥部のアンカー定着部をもって周辺地山と定着させ、定着後にアンカーに緊張力を与えて地山を締付け一体化し補強するといった工法もあった。
【０００５】
他に、地山ののり肩部分や、斜面中腹から略鉛直下方に向けて大口径の鋼管杭やコンクリート杭などを打設するといった杭工などもあった。
【０００６】
しかしながら、これら従来の補強工法には以下に述べるような課題があった。
【０００７】
【発明が解決しようとする課題】
すなわち、まず地山補強土工法において、対象地山斜面の地質状況等により崩落すべり面位置が比較的深いか、または、地山斜面ののり面高が高くそれだけ崩落すべり面の半径も大きいといった状況下では、鉄筋などの補強材が有する程度の長さでは補強材が崩落すべり面以深の地山に到達できなくなり、補強材の引張り抵抗が有効に機能せず斜面を一体に縫地するといったことは困難となる。
【０００８】
また、グラウンドアンカー工において、上記の如く崩落すべり面が地山内深くに位置していると、必要とするアンカー長もそれに応じただけ長大なものになり、それに伴い後背の施工区域が狭小である場合にはこの工法の適用自体を難しくし、アンカー材料費や周辺対策にとられる費用を要することとなり全体の施工コストを増大させることにつながる。
【０００９】
加えて、上記崩落すべり面の勾配が急であれば、地山の崩落を抑止する効果は、アンカーによる地山の締付け一体化の効果にほぼ限られてしまい、例えば地盤のクリープ現象が生じてアンカーの緊張力が低下するなどの事態が生起すれば、このグランドアンカー工法そのものの施工効果を失することになりかねない。
【００１０】
しかも、上記の地山補強土工法及びグラウンドアンカー工法のいずれについても、所定の補強効果を発揮するまでにある程度の養生時間を要するため、例えば掘削直後の斜面などに適用すると、施工によりかえって斜面の変状や崩壊を引き起こすおそれもある。
【００１１】
他方、杭工についても、通常の杭のごとく軸力が主な外力として作用する場合と違い、崩落防止のための抑止杭として、係る杭に作用する外力がすべり土砂に起因する主に曲げモーメントであることを考慮して設計するものであり、通常より比較的大きな杭径の杭を必要とする。
【００１２】
したがって、杭打設用の大型で重量の大きな重機類を斜面付近に配置して大型の杭を打設することとなって、施工コストと施工効率とに与える悪影響は大きい。
【００１３】
そこで、本発明は、このような従来の課題に着目してなされたもので、掘削直後の地山斜面の安定を図ることを可能にし、また、地山斜面の崩落すべり面が地山内深く位置している場合及び地山斜面ののり高が高い場合においても、簡便確実かつ低コストにて地山補強を施しうる地山補強工法を提供するものである。
【００１４】
【課題を解決するための手段】
この発明は、上記目的を達成するためになされたもので、地山斜面の崩落防止を図る補強工法であって、地山斜面ののり肩もしくは中腹から略鉛直下方の地山内に向けて杭を打設する地山補強杭工と、棒状の補強材を地山内に向け地山斜面から略鉛直に打設し、さらに地山と補強材とを定着させる地山補強土工と、補強対象となる地山斜面表面の一部もしくは全部を覆って地山斜面表面からの崩落防止を図るとともに、前記地山補強杭工において打設される杭と前記地山補強土工において打設される補強材とを地山斜面の表面上で連結する地山補強のり面工とからなることを特徴とする。
【００１５】
また、上記の地山補強杭工が地山補強土工に先行して行われると好適である。
【００１６】
【発明の実施の形態】
以下、本発明の好ましい実施の形態につき、添付図面を参照して詳細に説明する。
図１（ａ）は、本発明の地山補強杭工１０、地山補強土工２０及びのり面工３０を施工した斜面Ｓの断面図である。
例えば、山間部での道路建設や宅地造成などの土工事が実施される地山について、ある施工段階において図のような切土斜面Ｓが存在し、そののり面勾配が急であってなんら補強措置をとらねば斜面崩落のおそれがあるといった場合、本発明の地山補強工法を実施した例を示す。
【００１７】
その実施手順は、まず対象となる地山斜面Ｓの近傍に杭打設用機械を配置して、斜面のり肩部Ｋから地山内略鉛直下方に向けて、例えば径３００ｍｍ以下の小口径杭１１を打設する。係る杭１１の打設本数と杭長とは、地山の地質状況と必要とされる補強後地山強度、及び地山の崩落すべり面Ｍの位置とを考慮して設計されるものであり、打設に際しては図に示す如くのり肩部Ｋより下方の崩落すべり面Ｍ以深に向け打設を行って、地山のすべりに起因する曲げモーメントに対抗しうる支持力を杭１１が発現するよう勘案されるのである。
【００１８】
このように地山補強杭工１０が先行施工された地山斜面Ｓはそれだけでもある程度の補強効果が得られるため、それ以降に続いて行われるのり面掘削や地山補強土工２０及び地山補強のり面工３０の施工を実施しやすくし施工効率向上に資するという効果は大きい。
【００１９】
地山補強杭工１０の施工後は、例えば鉄筋などの補強材２１を地山内に向け地山斜面Ｓから略鉛直に打設し、さらに地山と補強材２１とを定着させ一体化させる地山補強土工２０を行う。前記補強材２１は、地山補強杭工１０における杭１１と同様に地山の地質状況と補強後の地山強度、及び地山の崩落すべり面Ｍの位置とを考慮して、打設本数と打設長とが設計される。
【００２０】
さらに、地山補強土工２０の施工後は地山補強のり面工３０が実施されることとなり、かかるのり面工３０は例えば吹付け枠工や現場打ちコンクリート枠工などを地山斜面Ｓののり面に施工し、のり面表面の一部もしくは全部を覆って、地山斜面Ｓ表面の剥落から始まる崩落防止を図るのである。
【００２１】
それとともに、先に地山補強杭工１０において打設された杭１１と地山補強土工２０において打設された補強材２１とを地山斜面の表面上で連結する役割も担って、地山補強杭工１０、地山補強土工２０、及び地山補強のり面工３０が施された地山斜面Ｓを、構造物の如く一体化することになる。
【００２２】
のり面高が高い場合、（ｂ）図のごとく上記補強材２１に長尺のものを使用すれば、より補強効果を高めることが出来る。
【００２３】
なお、施工手順としては本実施例のごとく、地山補強杭工、地山補強土工、そして地山補強のり面工の順とすると好ましいが、地質状況や各種施工条件などに応じて適宜変更してもよい。
【００２４】
【発明の効果】
以上詳細に説明したように、本発明の地山補強工法によれば、所定の補強効果を発揮するまでにある程度の養生時間を要する地山補強土工及び地山補強のり面工の施工に先立って地山補強杭工を実施することにより、ある程度の補強効果を対象斜面に施して、それ以降に行われる各種作業を簡便に行いやすくすることが可能となる。
【００２５】
しかも、上記地山補強杭工を地山補強土工と併せて行うことで、両者各々の施工に必要とされる杭や補強材等の部材数やサイズを抑制して施工コストを改善するとともに、施工機械の小型軽量化につながって施工効率向上の効果も著しいものとなる。
【００２６】
また、例えば、対象地山斜面の地質状況等により崩落すべり面位置が深いか、または、地山斜面ののり面が高く、それだけ崩落すべり面の半径も大きいといった状況下においても、地山補強杭工で用いられる杭がすべり面位置以深まで打設されるため、単独で地山補強土工を施工した場合と比較して大幅に補強材長を短縮することが可能となり、後背の施工区域が狭小で従来のグラウンドアンカー工法では施工が困難であるといった場合でも、地山補強工を実施可能とし、加えて施工コストの低減と施工効率の向上とを同時に図ることが可能である。
さらに、地山補強のり面工によって地山補強杭工において打設された杭と地山補強土工において打設された補強材とが地山斜面の表面上で連結されることになるので、地山斜面を構造物のように一体化することができ、地山斜面表面の剥落から始まる崩落を確実に防止することができる。
【図面の簡単な説明】
【図１】（ａ）は、本発明の地山補強杭工、地山補強土工及びのり面工を施工した斜面の断面図であり、（ｂ）は、地山補強土工に用いる補強材を長尺のものに変更して適用した斜面の断面図である。
【符号の説明】
Ｓ    地山斜面
Ｋ    地山のり肩
１０  地山補強杭工
１１  杭
２０  地山補強土工
２１  補強材
３０  地山補強のり面工
【図１】
0003633326.tif 000002